(57)【要約】      （修正有）【課題】ボビンを有するインダクタ部品において、唸り発生を抑制する。【解決手段】背脚７Ｄとこの背脚７Ｄに略垂直に設けられた脚７Ａ、７Ｂ（７Ｃ）とを有する磁心７と、脚７Ａ、７Ｂ（７Ｃ）に磁気的に接続される磁心８と、脚７Ａに挿入されるボビン１０とを備え、脚７Ａにおける磁心８対向面には、この磁心８対向面からはみ出すよう接着剤９Ａを塗布し、この接着剤９Ａにより脚７Ａとボビン１０とを固着し、脚７Ｂ（７Ｃ）と磁心８との間には、磁心７よりも低透磁率のギャップスペーサ１４を介在させた構成としたものである。【選択図】図１
2008140838.tif 000002
【特許請求の範囲】
【請求項１】
背脚とこの背脚に略垂直に設けられた第１、第２の脚とを有する第１の磁心と、
前記第１、第２の脚に磁気的に接続される第２の磁心と、
前記第１の脚に挿入されるボビンとを備え、
前記第１の脚における前記第２の磁心対向面には、
この第２の磁心対向面からはみ出すよう接着剤を塗布し、
この接着剤により前記第１の脚と前記ボビンとを固着し、
前記第２の脚と前記第２の磁心との間には、
第１の磁心よりも低透磁率のギャップスペーサを介在させた
インダクタ部品。
【請求項２】
ギャップスペーサは金属磁性材からなる
請求項１に記載のインダクタ部品。
【請求項３】
ギャップスペーサは磁性粉と樹脂とのコンポジット材料からなる
請求項１に記載のインダクタ部品。
【請求項４】
ギャップスペーサは金属系圧粉磁心とした
請求項１に記載のインダクタ部品。
【請求項５】
第１の脚とボビンとの間には空隙を設ける構成とした
請求項１に記載のインダクタ部品。
【請求項６】
ボビンと背脚とは非接着状態とした
請求項１に記載のインダクタ部品。
【請求項７】
接着剤は、
第１の磁心の第１の脚における第２の磁心対向面の全周からはみ出すよう塗布した
請求項１に記載のインダクタ部品。
【請求項８】
第１の磁心における第１の脚と第２の磁心との間にはギャップスペーサを介在させた
請求項１に記載のインダクタ部品。
【請求項９】
請求項１〜８に記載のインダクタ部品を実装した電子機器。
【発明の詳細な説明】
【技術分野】
【０００１】
本発明は、ボビンを有するインダクタ部品とこれを用いた電子機器に関するものである。
【背景技術】
【０００２】
従来この種のインダクタ部品は、図２に示されるように、中脚１Ａ、外脚１Ｂ、１Ｃを有するＥ型磁心１と、中脚２Ａ、外脚２Ｂ、２Ｃを有するＥ型磁心２とを互いに対向させ、中脚１Ａと中脚２Ａ、外脚１Ｂと外脚２Ｂ、外脚１Ｃと外脚２Ｃを、それぞれ接着剤３Ａ、３Ｂ、３Ｃで接着させ、閉磁路を構成していた。
【０００３】
そして、この閉磁路における中脚１Ａ、２Ａに挿入されるボビン４とこのボビン４に巻回されるコイル５とを備え、磁心１の背脚１Ｄの一部とボビン４の鍔部４Ｂの一部とを接着剤６により固着していた。
【０００４】
なお、この出願に関する先行技術文献情報としては、例えば、特許文献１が知られている。
【特許文献１】特開２００４−２００３３６号公報
【発明の開示】
【発明が解決しようとする課題】
【０００５】
このような従来のインダクタ部品は唸りの発生が問題となっていた。
【０００６】
すなわち、上記従来の構成においては、コイル５に交流電流が流れたときに発生する磁歪によりＥ型磁心１とＥ型磁心２との間隔が伸縮を繰り返し、それに起因して発生する、ボビン６内周部における、中脚１Ａ、２Ａ間の空気の圧迫により、唸りが発生することが問題となっていた。
【０００７】
そこで本発明は、ボビンを有するインダクタ部品において、唸り発生の抑制を目的とする。
【課題を解決するための手段】
【０００８】
そして、この目的を達成するために本発明は、背脚とこの背脚に略垂直に設けられた第１、第２の脚とを有する第１の磁心と、前記第１、第２の脚に磁気的に接続される第２の磁心と、前記第１の脚に挿入されるボビンとを備え、前記第１の脚における前記第２の磁心対向面には、この第２の磁心対向面からはみ出すよう接着剤を塗布し、この接着剤により前記第１の脚と前記ボビンとを固着し、前記第２の脚と前記第２の磁心との間には、第１の磁心よりも低透磁率のギャップスペーサを介在させた構成としたものである。
【発明の効果】
【０００９】
本発明のインダクタ部品は、第１の磁心の第１の脚における第２の磁心対向面には、この第２の磁心対向面からはみ出すよう接着剤を塗布し、この接着剤により第１の脚とボビンとを固着した構成としたことにより、ボビンが、第１の磁心における第１の脚と第２の磁心との間隔を一定に保とうとする働きをする。その結果として、磁歪により発生する空気の圧迫を抑制することができ、唸りの発生を抑制することができる。
【発明を実施するための最良の形態】
【００１０】
（実施の形態１）
以下、本発明の実施の形態１におけるインダクタ部品について図面を参照しながら説明する。
【００１１】
図１に示すごとく、本実施の形態におけるインダクタ部品は、中脚７Ａ、外脚７Ｂ、７Ｃを有するＥ型磁心７と、この中脚７Ａ、外脚７Ｂ、７Ｃに対向する中脚８Ａ、外脚８Ｂ、８Ｃを有するＥ型磁心８とを備えており、中脚７Ａと中脚８Ａ、外脚７Ｂと外脚８Ｂ、外脚７Ｃと外脚８Ｃをそれぞれ接着剤９Ａ、９Ｂ、９Ｃにより接着し、閉磁路を構成している。
【００１２】
ここで、中脚７Ａ、８Ａ間の距離Ａと、外脚７Ｂ、８Ｂ間の距離Ｂとは略同じ大きさとしており、中脚７Ａ（あるいは中脚８Ａ）の長さと外脚７Ｂ、７Ｃ（あるいは外脚８Ｂ、８Ｃの長さとが等しい構成としている。この構成により、中脚７Ａ（あるいは中脚８Ａ）と外脚７Ｂ、７Ｃ（あるいは外脚８Ｂ、８Ｃ）を、同一平面状で研磨するなどして成型することができるため、生産性の向上を図ることができる。
【００１３】
そして、中脚７Ａ、８Ａには、ボビン１０を挿入させ、このボビン１０には、コイル１１を巻回している。
【００１４】
ここで、このボビン１０と中脚７Ａ、８Ａとは、中脚７Ａ（あるいは中脚８Ａ）に塗布した接着剤９Ａの内、中脚７Ａ（あるいは８Ａ）における磁心８対向面（あるいは磁心７対向面）からはみ出させたものにより固着させる構成としている。
【００１５】
この構成により、ボビン１０が、この中脚７Ａ（あるいは８Ａ）における磁心８対向面（あるいは磁心７対向面）からはみ出た接着剤９Ａにより、中脚７Ａ（あるいは中脚８Ａ）と磁心８（あるいは磁心７）との結合を強める働きをし、互いの間隔を一定に保とうとする働きをする。
【００１６】
その結果として、コイル１１に交流電流が流れたときに発生する磁歪によりＥ型磁心７とＥ型磁心８との間隔が伸縮を繰り返し、それに起因して発生するボビン１０内周部における、中脚７Ａと中脚８Ａとの間の空気の圧迫を抑制することができ、唸りの発生を抑制することができる。
【００１７】
また、ボビン１０と磁心７（あるいは磁心８）とを接着させる工程を個別に設ける必要が無く、製造工程の削減を図ることができる。
【００１８】
さらに、熱衝撃信頼性を向上させることができる。即ち、他の部品等からの空気を介して伝達される熱、あるいはコイル１１から発生した熱が、磁心７（あるいは磁心８）及びボビン１０に加わると、その熱膨張係数の違いから、互いの対向する位置にずれが生じてしまう。このとき、例えばボビン１０の鍔部１０Ａ（あるいは鍔部１０Ｂ）と、磁心７の背脚７Ｄ（あるいは磁心８の背脚８Ｄ）とを接着してしまうと、この対向する位置のずれに起因して磁心７（あるいは磁心８）又はボビン１０に割れ等が生じる恐れがある。
【００１９】
しかし、本実施の形態に示すごとく、ボビン１０と中脚７Ａ、８Ａとを、中脚７Ａ（あるいは中脚８Ａ）に塗布した接着剤９Ａの内、中脚７Ａ（あるいは８Ａ）における磁心８対向面（あるいは磁心７対向面）からはみ出たものにより固着させる構成、即ち、ボビン１０における接着面のほとんどが、中脚７Ａ、８Ａのギャップ部分と対向している構成にすることにより、ボビン１０と磁心７（あるいは磁心８）との熱膨張係数の違いによる対向位置のずれを減少させることができるため、磁心７（あるいは磁心８）又はボビン１０の割れを抑制することができ、熱衝撃信頼性を向上させることができる。
【００２０】
従って、ボビン１０と中脚７Ａ、８Ａとの間は、中脚７Ａ（あるいは８Ａ）における磁心８対向面（あるいは磁心７対向面）からはみ出た接着剤９Ａのみで固着することが望ましく、ボビン１０と中脚７Ａ、８Ａとの間には、本実施の形態に示すごとく、空隙を有する構成とすることが望ましい。
【００２１】
さらに、この接着剤９Ａを、中脚７Ａ（あるいは８Ａ）における磁心８対向面（あるいは磁心７対向面）の全周からはみ出させるとともに、この全周からはみ出させた接着剤９Ａによりボビン１０の内周部とと中脚７Ａ（あるいは中脚８Ａ）の外周部とを固着させる構成とすることにより、ボビン１０、中脚７Ａ、８Ａ間における空気の流れを遮断させることができ、その結果として、より唸りの発生を低減させることができ望ましい。
【００２２】
なお、図１に示すごとく、中脚７Ａと中脚８Ａとの間には、ギャップスペーサ１２を介在させることが望ましい。この構成により、接着剤９Ａの塗布量を削減することができる。
【００２３】
さらに、本実施の形態においては、外脚７Ｂ、８Ｂ間、外脚７Ｃ、８Ｃ間に磁心７、８よりも低透磁率の金属磁性材からなるギャップスペーサ１４を介在させている。この構成により、何も介在させない状態に比べて漏洩磁束を低減することができると同時に、低透磁率の材料を用いることで磁束飽和密度の低減を抑制することができる。
【００２４】
ここで、このギャップスペーサ１４を構成する金属磁性材に、磁性粉と樹脂のコンポジット材料を用いると、流動性の高い樹脂を含有することにより、金型成型時においてその成型形状の自由度が高く、生産性を向上させることができる。
【００２５】
また、このギャップスペーサ１４に金属系圧粉磁心を用いた場合には、漏洩磁束をより低減することができる。即ち、比透磁率が２〜２０であるコンポジット材料と比較して、はるかに高い比透磁率３０〜１５０を有する金属系圧粉磁心を用いることにより、より漏洩磁束を低減することができる。
【産業上の利用可能性】
【００２６】
本発明のインダクタ部品は、唸りの発生を抑制することができるという効果を有し、各種電子機器において有用である。
【図面の簡単な説明】
【００２７】
【図１】本発明の実施の形態１におけるインダクタ部品の断面図
【図２】従来のインダクタ部品の断面図
【符号の説明】
【００２８】
７  磁心
７Ａ  中脚（第１の脚）
７Ｂ、７Ｃ  外脚（第２の脚）
７Ｄ  背脚
８  磁心
９Ａ  接着剤
１０  ボビン
１４  ギャップスペーサ
【図１】
2008140838.tif 000003
【図２】
2008140838.tif 000004